(57)【特許請求の範囲】
【請求項１】
前後方向と縦方向と、レンズ部と前記レンズ部の周縁から延出して後方へ延びるフレーム部とが一体に形成された一対のアイカップと、前記一対のアイカップの内側部の間を連結するための連結ブリッジと、ヘッドストラップと、前記アイカップと前記ヘッドストラップとを連結するための連結部材とを含むスイミングゴーグルにおいて、
前記連結部材は、可撓性かつ弾性変形可能であって前記ヘッドストラップよりも高い剛性又は硬質の材料から形成されており、前記アイカップの外側部には、スロープ状の案内凹部と、前記案内凹部上を跨いで前記縦方向に延びる被係止部とが形成されており、
前記連結部材は、前記アイカップに連結される前端部と、前記ヘッドストラップに連結される後端部とを有し、前記前端部には、前記被係止部に係止するための係止爪と、前記後端部には、前記ヘッドストラップを挿通するための挿通孔とがそれぞれ形成されており、前記連結部材を前記後端部の側から前記案内凹部と前記被係止部との間へ差し通し、前記係止爪を前記被係止部に係止させることによって、前記連結部材を挿抜可能に前記アイカップに連結することが可能な前記ゴーグル。
【請求項２】
前記後端部において、前記挿通孔が形成されている部位の縦方向Ｙの幅寸法が最も大きく、かつ、その幅寸法が前記案内凹部の縦方向の幅寸法よりも大きく形成されており、前記後端部を前記案内凹部と前記被係止部との間に差し通す際に、前記挿通孔が形成されている部位を弾性変形させて、その縦方向の幅寸法を前記案内凹部の縦方向の幅寸法よりも小さくすることによって、前記後端部を前記案内凹部と前記被係止部との間に差し通すことが可能な請求項１に記載のゴーグル。
【請求項３】
前記挿通孔の内周壁に、前記挿通孔内へ突出する突起が形成されている請求項１又は２に記載のゴーグル。
【発明の詳細な説明】
【技術分野】
【０００１】
この発明は、スイミングゴーグルに関する。
【背景技術】
【０００２】
従来、アイカップとヘッドストラップとを連結するための連結部材を有するスイミングゴーグルは公知である。たとえば、特開平０６−１９００８１号公報には、アイカップとヘッドストラップとを連結するための、硬質材料と軟質材料とからなる連結部材を有するスイミングゴーグルが開示されている。
【特許文献１】特開平０６−１９００８１号公報
【発明の開示】
【発明が解決しようとする課題】
【０００３】
特許文献１に開示された発明においては、連結部材が、硬質材料から形成された連結部と、軟質材料からなるベルト部とから構成されている。連結部が硬質材料から形成されているので、該部位が使用によって磨耗するおそれはなく、また、ベルト部が軟質の弾性材料から形成されていることから、連結部材をアイカップの動きに追従させることができ、着用者の顔面にフィットさせることができるとともに、連結部材に外部から強い衝撃が与えられたとしても、連結部材が破損したり、衝撃でアイカップから外れるおそれはない。
【０００４】
しかし、連結部材はバックル式の連結手段でアイカップと連結されているので、連結部が衝撃を受けたときに不用意に外れるおそれがあり、また、連結部がベルト部から突出していることにより、競泳中に周辺に乱流が生じ、水流抵抗が大きくなるという問題があった。
【０００５】
そこで、この発明は、連結部材全体が弾性部材から形成されていることによって、装着者の顔面にフィットして装着感が向上するとともに、その一部を弾性変形させてアイカップに連結することにより、連結部材を前後方向のいずれの方向から引っ張っても、連結部材がアイカップから容易に抜けるおそれはなく、また、部品点数が少ないスイミングゴーグルを提供することを課題にしている。
【課題を解決するための手段】
【０００６】
前記課題を解決するために、この発明が対象とするのは、前後方向と縦方向と、レンズ部とレンズの周縁から延出して後方へ延びるフレーム部とが一体に形成された一対のアイカップと、前記一対のアイカップの内側部の間を連結するための連結ブリッジと、ヘッドストラップと、前記アイカップと前記ヘッドストラップとを連結するための連結部材とを含むスイミングゴーグルである。
【０００７】
この発明の特徴とするところは、前記連結部材は、可撓性かつ弾性変形可能であって前記ヘッドストラップよりも高い剛性又は硬質の材料から形成されており、前記アイカップの外側部には、スロープ状の案内凹部と、前記案内凹部上を跨いで前記縦方向に延びる被係止部とが形成されており、前記連結部材は、前記アイカップに連結される前端部と、前記ヘッドストラップに連結される後端部とを有し、前記前端部には、前記被係止部に係止するための係止爪と、前記後端部には、前記ヘッドストラップを挿通するための挿通孔とがそれぞれ形成されており、前記連結部材を前記後端部の側から前記案内凹部と前記被係止部との間へ差し通し、前記係止爪を前記被係止部に係止させることによって、前記連結部材を挿抜可能に前記アイカップに連結することが可能なこと、である。
【０００８】
この発明は、前記特徴とする構成のほかに、以下の好ましい実施の形態を含む。
（１）前記後端部において、前記挿通孔が形成されている部位の縦方向Ｙの幅寸法が最も大きく、かつ、その幅寸法が前記案内凹部の縦方向の幅寸法よりも大きく形成されており、前記後端部を前記案内凹部と前記被係止部との間に差し通す際に、前記挿通孔が形成されている部位を弾性変形させて、その縦方向の幅寸法を前記案内凹部の縦方向の幅寸法よりも小さくすることによって、前記後端部を前記案内凹部と前記被係止部との間に差し通すことが可能である。
（２）前記挿通孔の内周壁に、前記挿通孔内へ突出する突起が形成されている。
【発明の効果】
【０００９】
この発明に係るスイミングーグルによれば、軟質の弾性材料からなる連結部材を、その後端部の側からアイカップの外側部に形成されたスロープ状の案内凹部と案内凹部上を跨いで上下方向へ延びる被係止部との間に差し通して、連結部材の前端部に形成された係止爪を被係止部に係止させることによって連結部材とアイカップとを連結することができるので、連結部材が着用者の顔面にフィットするとともに、連結部材が外部から強い衝撃を受けたとしても、妄りにアイカップから外れるおそれはない。
【００１０】
この発明に係る一つの形態では、後端部を弾性変形させて、その縦方向の幅寸法を前記案内凹部の縦方向の幅寸法よりも小さくして、案内凹部と被係止部との間に差し通すので、ゴーグルの着用中に連結部材とアイカップとの係合が解除されたとしても、連結部材がアイカップから外れて、脱落するおそれはない。
【００１１】
この発明に係る他の形態では、連結部材の後端部に形成された挿通孔の内周壁に、前記挿通孔内へ突出する一対の突起が形成されているので、ヘッドストラップの前方への移動が規制され、挿通孔内においてヘッドストラップの一部が反転して、ねじれるおそれはない。
【発明を実施するための最良の形態】
【００１２】
この発明に係るスイミングゴーグルの詳細を添付の図面を参照して説明すると、以下のとおりである。
【００１３】
図１は、スイミングゴーグル１０の着用状態を示す斜視図である。図１において、ゴーグル１０の前後方向はＸ、縦方向はＹで示されている。また、Ｃ−Ｃ線は連結ブリッジ１７の長さを二等分する中心線であり、ゴーグル１０は、Ｃ−Ｃ線に関して対称をなしている。また、内方とは、中心線Ｃ−Ｃへ向かう方向をいい、外方とはその逆の方向をいう。
【００１４】
スイミングゴーグル１０は、一体に形成されたレンズ部１１とフレーム部１２とを有する一対のアイカップ１３と、ヘッドストラップ１４と、アイカップ１３の外側部１３ｂから後方へ延びる一対の連結部材１５と、連結ブリッジ１７とを含む。各アイカップ１３は、各アイカップ１３の内側部１３ａにおいて連結ブリッジ１７を介して連結されている。各アイカップ１３とヘッドストラップ１４とは、各アイカップ１３の外側部１３ｂにおいて各連結部材１５を介して連結されている。フレーム部１２は、レンズ部１１の周縁全体から後方へ延びており、着用者の眼の周囲に水密に当接する環状の内周壁１８と、下へ凸となる形状を有する外周壁１９とを有する。外周壁１９の外側部、すなわち、アイカップ１３の外側部１３ｂには、内方への深さを有するスロープ状の案内凹部２０（図５参照）と、案内凹部２０上を跨いで上下方向Ｙへ延びる被係止部２１が形成されている。なお、図示されてはいないが、内周壁１８の周縁にフランジ部を設け、該フランジ部に着脱可能なフェイスパッドを取り付けてもよい。
【００１５】
各アイカップ１３は、ポリカーボネート等の硬質プラスチックから、ヘッドストラップ１４は、ゴム弾性を有する比較的柔軟なゴム、プラスチック（特にポリウレタン）等から、各連結部材１５は、可撓性かつ弾性変形可能であってヘッドストラップ１４よりも高い剛性又は硬質のプラスチック（特にポリウレタン）やゴム等から、連結ブリッジ１７は、可撓性であるが、連結部材１５のような高い剛性又は硬質のプラスチックやゴム等から、それぞれ形成されている。
【００１６】
図２（ａ）は、連結部材１５の正面図、図２（ｂ）は、連結部材１５を上側から見た平面図、（ｃ）は、連結部材１５の背面図である。
【００１７】
図２（ａ）〜（ｃ）に示すように、連結部材１５は、その外形が円弧状の前端縁１５ａと、先細（テーパー）状の後端縁１５ｂと、直状に延びる上側縁１５ｃと、上方へ湾曲する下側縁１５ｄとから画成されており、全体として細長帯片状を有している。連結部材１５は、アイカップ１３に連結される前端部２４と、ヘッドストラップ１４に連結される後端部２５と、前後端部２４，２５間において前後方向Ｘへ延びる中央部２６とを有する。前端部２４は、係合状態において、アイカップ１３のスロープ状の案内凹部２０と当接する当接面２７と、その先端には、アイカップ１３の被係止部２１に係止される、外方へ突起した係止爪２８とを有する。後端部２５には、ヘッドストラップ１４を挿通するための挿通孔３０が形成されており、挿通孔３０の後方の外面には、ほぼＵ字又はＶ字状の凹部３１が形成されている。後端部２５は、挿通孔３０が形成されている部位において、その縦方向Ｙの幅寸法が最も大きくなるように形成されている。また、中央部２６の外面には、前後方向Ｘへ延びる１条のリブ３２が形成されており、前端部２４の当接面２７には、大小様々な波状を有するシボ又は条溝３３が形成されている。
【００１８】
図３（ａ）及び（ｂ）と図４（ａ）及び（ｂ）は、連結部材１５がアイカップ１３に連結される過程を示す図である。
【００１９】
まず、連結部材１５をアイカップ１３に連結するためには、図３（ａ）に示すように、連結部材１５を水平にした状態から、その後端部２５の先端３５をアイカップ１３のスロープ状の案内凹部２０と被係止部２１との間へ差し入れて、図３（ｂ）に示すように後端部２５を後方へ引っ張り、被係止部２１の下を通過させる。その際、後端部２５の挿通孔３０が形成されている部位の縦方向Ｙの幅寸法Ｗ１は、案内凹部２０の縦方向の幅寸法Ｗ２よりも大きいことが好ましい。すなわち、幅寸法Ｗ１が幅寸法Ｗ２よりも大きい場合には、ゴーグル１０の着用中に、外部からの衝撃等により後記する係止爪２８と被係止部２１とによる係止が解除された場合であっても、後端部２５が案内凹部２０の内周側壁２２に引っ掛かり、連結部材１５が不用意にアイカップ１３から抜け落ちることはない。一方、幅寸法Ｗ１が幅寸法Ｗ２よりも小さい場合には、係止爪２８と被係止部２１との係止が解除されたときに、後端部２５が案内凹部２０の内周側壁２２に引っ掛かることなく、前方へ抜けるので、連結部材１５がアイカップ１３から脱落してしまうおそれがある。
【００２０】
このように、後端部２５の縦方向Ｙの幅寸法Ｗ１が、案内凹部２０の縦方向Ｙの幅寸法Ｗ２よりも大きいので、ゴーグル１０を組み立てる際に、後端部２５の先端３５を案内凹部２０と被係止部２１との間に差し入れて後方へ引っ張ったとき、後端部２５が案内凹部２０の内周側壁２２に引っ掛かり、差し通すことはできない。そこで、後端部２５の先端３５を案内凹部２０に挿入した後に、後端部２５の上下側部２５ａ，２５ｂを案内凹部２０の内周側壁２２に強制的に摺動しながら圧接させて、後方へ引っ張る。すなわち、後端部２５の上下側部２５ａ，２５ｂが、圧接されることによって、弾性変形して挿通孔３０へ向かって曲がるので、幅寸法Ｗ１は小さくなり、後端部２５の上下側部２５ａ，２５ｂが案内凹部２０の内周側壁２２に引っ掛かることなく、後方へ差し通すことができる。その際、上下側部２５ａ，２５ｂを圧接すると、上下側部２５ａ，２５ｂよりも肉厚の薄いＵ字状又はＶ字状の凹部３１が、上下側部２５ａ，２５ｂよりも先に弾性変形して内側へ折れ曲がるので、上下側部２５ａ，２５ｂを容易に弾性変形させることができる。
また、後端部２５を上下方から指で押圧しながら後方へ引っ張ることにより、上下側部２５ａ，２５ｂを弾性変形させることもできる。
【００２１】
後端部２５が被係止部２１の下を通過した後は、図４（ａ）及び（ｂ）に示すように、連結部材１５をさらに後方へ引っ張って中央部２６を通過させ、前端部２４の内面に位置する当接面２７を案内凹部２０の傾斜面２３に当接させながら前端部２４を後方へ引っ張り、係止爪２８を被係止部２１に係止させることによって、連結部材１５をアイカップ１３に連結することができる。
【００２２】
図５は、図４（ｂ）のＶ−Ｖ線断面図である。
【００２３】
係止爪２８が被係止部２１に係止された状態から、連結部材１５をアイカップ１３から取り外すときに、連結部材１５に係止爪２８の係止状態を解除する方向（図５では矢印Ａの方向）への力を加えたとしても、連結部材１５のうちの、案内凹部の傾斜面２３と当接していない中央部２６が弾性変形して湾曲してしまい、力が前端部２４に伝わり難い。また、前端部２４の当接面２７全体と案内凹部２０の傾斜面２３全体とが密着すると、摩擦力が大きくなるので、その係合状態を解除するためには、比較的に大きな力を要することとなる。そこで、前端部２４の当接面２７にシボ又は条溝３３を形成することによって、当接面２７と傾斜面２３との当接面積を減らし、摩擦を抑え、連結部材１５の取り外しを容易にすることができる。
【００２４】
図５に示すように、係止爪２８が被係止部２１に係止された状態においては、アイカップ１３の外周壁１９と係止爪２８との間、係止爪２８と被係止部２１との間には段差がなく、アイカップ１３の外側部１３ｂは流線形状を呈しているので、その周辺に乱流が生じることはなく、水抵抗が大きくなるおそれはない。
【００２５】
図６は、連結部材１５の他の実施の形態を示す平面図である。
【００２６】
この実施の形態における連結部材１５は、図１〜５に示す実施の形態と基本的構成においてほぼ同一であるので、同一の構成についてはその説明を省略する。この実施の形態では、挿通孔３０の内周壁３０ａに挿通孔３０内に突出した一対の突起４０が形成されており、この突起４０によってヘッドストラップ１４の挿通孔３０内での前方への移動が規制されるので、ヘッドストラップ１４の位置が固定され、挿通孔３０内でヘッドストラップ１４の一部が反転して、ねじれるおそれはない。なお、ヘッドストラップ１４のねじれ防止のためには、突起４０は、一対ではなく、少なくとも内周壁３０ａの上方又は下方のいずれか一方から挿通孔３０内へ突出するものであってもよい。
【００２７】
連結部材１５は、適度な柔軟性を有するので、アイカップ１３の動きに追従することが可能となり、着用者の顔面にフィットしやすくなるとともに、外部から衝撃を受けた場合であっても、その衝撃によりアイカップ１３から妄りに外れたりするおそれはない。連結部材１５がこのような効果を奏するためには、その硬度が８０〜１００度であることが好ましい。連結部材１５の硬度が１００度以上の場合には、前記のように連結部材１５がアイカップの動きに追従することができず、アイカップ１３の位置の調整が困難になるとともに、外部から衝撃を受けた場合に、衝撃を吸収することができず、連結部材１５がアイカップ１３から外れてしまうおそれがあるからである。一方、連結部材１５の硬度が８０度以下の場合には、アイカップ１３の硬度よりも極端に低くなるので、連結部材１５がヘッドストラップ１４とともに後方へ引っ張られたときに、前端部２４が容易に外れたり、その引張力によって連結部材１５自体が破断してしまうおそれがある。
【００２８】
ヘッドストラップ１４は、その硬度は４０〜６０度であることが好ましい。４０度以下の場合には、ヘッドストラップが着用者の頭部にフィットせず、また、着用時においてヘッドストラップ１４が後方へ引っ張られた際に、ヘッドストラップ１４の連結部材１５の挿通孔３０に掛回された部位が、挿通孔３０の内周壁３０ａの後端部によって切断されるおそれがある。
【００２９】
連結部材１５の中央部２６には前後方向Ｘへ延びる少なくとも一条のリブ３２が形成されているので、たとえ、連結部材１５が比較的に剛性の低い部材から作られ、前後方向Ｘへ強く引っ張られた場合であっても、連結部材１５の中央部２６が破断するおそれはない。また、リブ３２は意匠的装飾としての効果も有する。
【図面の簡単な説明】
【００３０】
【図１】この発明に係るスイミングゴーグルの斜視図。
【図２】（ａ）連結部材の正面図、（ｂ）連結部材を上方から見た平面図、（ｃ）連結部材の背面図。
【図３】（ａ），（ｂ）連結部材をアイカップに連結する過程を示した図。
【図４】（ａ），（ｂ）連結部材をアイカップに連結する過程を示した図。
【図５】図４（ｂ）のＶ−Ｖ線断面図。
【図６】連結部材の他の実施の形態を示す正面図。
【符号の説明】
【００３１】
１０    スイミングゴーグル
１１    レンズ部
１２    フレーム部
１３    アイカップ
１３ｂ  アイカップの外側部
１４    ヘッドストラップ
１５    連結部材
１７    連結ブリッジ
２０    案内凹部
２１    被係止部
２４    連結部材の前端部
２５    連結部材の後端部
２８    係止爪
３０    挿通孔
３０ａ  挿通孔の内周壁
Ｗ１    後端部における挿通孔が形成されている部位の縦方向の幅寸法
Ｗ２    案内凹部の縦方向の幅寸法
Ｘ      前後方向
Ｙ      縦方向
【図１】
0004359326.tif 000002
【図２】
0004359326.tif 000003
【図３】
0004359326.tif 000004
【図４】
0004359326.tif 000005
【図５】
0004359326.tif 000006
【図６】
0004359326.tif 000007